(57)【要約】【課題】  停電等により商用電源から電力が給電されない場合に、既存通信装置のバックアップ電源を利用して、給電ハブが具備した照明手段を点灯することが可能な給電ハブシステムを提供する。【解決手段】  受電機能および給電機能を具備した給電ハブに、自給電ハブの周辺を照らす照明手段を更に具備し、前記給電ハブに接続された給電側通信装置または受電側通信装置からの指示に従って、照明手段を点灯または消灯させる。【選択図】    図１
2015173362.tif 000002
【特許請求の範囲】
【請求項１】
給電ハブへ電力を供給する機能を有する給電側通信装置と、給電ハブから電力を受電し前記給電側通信装置と通信する受電側通信装置と、前記給電側通信装置から受電した電力の一部を前記受電側通信装置へ供給すると共に前記給電側通信装置と前記受電側通信装置との間で通信データを中継する給電ハブと、から構成される給電ハブシステムであって、
前記給電ハブは、自給電ハブの周辺を照らす照明手段と、前記給電側通信装置または前記受電側通信装置から前記照明手段を点灯する点灯コマンドまたは消灯する消灯コマンドを受信する照明コマンド受信手段と、を有し、
前記照明コマンド受信手段が点灯コマンドを受信した場合または自給電ハブが備える点灯スイッチが押下された場合に、前記照明手段を点灯することを特徴とする照明機能を有する給電ハブシステム。
【請求項２】
請求項１に記載の給電ハブシステムであって、
前記給電側通信装置は商用電力を受電する商用電力受電手段と、前記商用電力が停電した場合に電力を供給する停電時電力供給手段と、を有し、
前記商用電力が停電した場合に、前記点灯コマンドを前記給電ハブへ送信し、前記商用電力の停電が復旧した場合に前記消灯コマンドを前記給電ハブへ送信することを特徴とする照明機能を有する給電ハブシステム。
【請求項３】
請求項２に記載の給電ハブシステムであって、
前記給電側通信装置は、前記点灯コマンドを優先的に送信すべき１以上の給電ハブを登録する点灯コマンド優先送信先登録手段をさらに有することを特徴とする照明機能を有する給電ハブシステム。
【発明の詳細な説明】
【技術分野】
【０００１】
本発明は、停電等により商用電源から電力が給電されない場合に、既存通信装置のバックアップ電源を利用して、給電ハブが具備した照明手段を点灯することが可能な給電ハブシステムに関する。
【背景技術】
【０００２】
従来、誘導灯の器具内部に、バックアップ電源と外部通信機器との通信手段を設けて、外部通信機器から誘導灯の遠隔操作を行うことが可能な技術がある（例えば、特許文献１）。
【０００３】
しかしながら、特許文献１に記載された技術は、各誘導灯にバックアップ電源を具備しているため高価であり、また、停電等により商用電源からの電力が長時間給電されない場合には、バックアップ電源の電力が無くなり消灯する可能性があった。
【先行技術文献】
【特許文献】
【０００４】
【特許文献１】特開２００４−２０６９６８号公報
【発明の概要】
【発明が解決しようとする課題】
【０００５】
そこで、本発明の課題は、停電等により商用電源から電力が給電されない場合に、既存通信装置のバックアップ電源を利用して、事務所やオフィスのＬＡＮ（Ｌｏｃａｌ  Ａｒｅａ  Ｎｅｔｗｏｒｋ）環境等に設置されている給電ハブが具備する照明手段を点灯させる給電ハブシステムを提供し、バックアップ電源の電力残量に応じて、優先度の高い給電ハブが具備した照明手段のみを点灯させる等の柔軟な制御を実現することにある。
【課題を解決するための手段】
【０００６】
上記の課題を解決するために、本発明は、給電ハブへ電力を供給する機能を有する給電側通信装置と、給電ハブから電力を受電し前記給電側通信装置と通信する受電側通信装置と、前記給電側通信装置から受電した電力の一部を前記受電側通信装置へ供給すると共に前記給電側通信装置と前記受電側通信装置との間で通信データを中継する給電ハブと、から構成される給電ハブシステムであって、前記給電ハブは、自給電ハブの周辺を照らす照明手段と、前記給電側通信装置または前記受電側通信装置から前記照明手段を点灯する点灯コマンドまたは消灯する消灯コマンドを受信する照明コマンド受信手段と、を有し、前記照明コマンド受信手段が点灯コマンドを受信した場合または自給電ハブが備える点灯スイッチが押下された場合に、前記照明手段を点灯することを特徴とする。
【発明の効果】
【０００７】
本発明によれば、停電等により商用電源から電力が給電されない場合に、既存通信装置のバックアップ電源を利用して、給電ハブが具備した照明手段を点灯することが可能な給電ハブシステムが提供可能になるため、バックアップ電源の電力残量に応じて、優先度の高い給電ハブが具備した照明手段のみを点灯させる等の柔軟な制御が実現できる。
【図面の簡単な説明】
【０００８】
【図１】本発明による給電ハブシステムの構成図の例
【図２】本発明による給電ハブシステムの給電ハブ２の内部ブロック図の例
【図３】本発明による給電ハブシステムの給電側通信装置１の内部ブロック図の例
【図４】本発明による給電ハブシステムの受電側通信装置３の内部ブロック図の例
【図５】給電側通信装置１の優先送信先登録部１０１に登録されたデータの例
【図６】本発明による給電ハブシステムの給電ハブ２の動作フローチャート
【図７】本発明による給電ハブシステムの給電側通信装置１の動作フローチャート
【発明を実施するための形態】
【０００９】
以下、本発明の実施形態について、図面を用いて説明する。
【００１０】
図１は、本発明を適用した給電ハブシステムの構成図の例であって、給電側通信装置１、給電ハブ２Ａ、２Ｂ、受電側通信装置３Ａ、３Ｂ、３Ｃ、３Ｄから構成される。
【００１１】
給電側通信装置１は、給電ハブ２Ａ、２Ｂを経由して受電側通信装置３Ａ、３Ｂ、３Ｃ、３Ｄと通信する。ここで、本実施例は簡単化のために、給電側通信装置１に接続された給電ハブ２Ａ、２Ｂを２台、受電側通信装置３Ａ、３Ｂ、３Ｃ、３Ｄを４台として説明しているが、その限りではない。
【００１２】
ここで、給電側通信装置１は、例えば電話システムの主装置やメールシステムのサーバが相当する。また、給電ハブで有っても良い。さらに、受電側通信装置３Ａ、３Ｂ、３Ｃ、３Ｄは、例えば電話システムの電話機やメールシステムの端末、ＡＰ（Ａｃｃｅｓｓ  Ｐｏｉｎｔ）が相当する。また、給電ハブで有っても良い。
【００１３】
図２は、本発明を適用した給電ハブシステムの給電ハブ２の内部ブロック図の例である。給電ハブ２は、ＬＡＮポート（Ｕｐ）２０１、照明２０２、照明コマンド受信部２０３、データ送受信部２０４、スイッチ２０５、受電部２０６、電源回路２０７、商用電源受電部２０８、点灯スイッチ２０９、ＬＡＮ回線対応部２１Ａ、２１Ｂから構成される。ＬＡＮ回線対応部２１Ａ、２１Ｂは、データ送受信部２１１、給電部２１２、ＬＡＮポート（Ｄｏｗｎ）２１３から構成される。ここで、本実施例は簡単化のために、ＬＡＮ回線対応部２１Ａ、２１Ｂを２ポートとして説明しているが、その限りではない。
【００１４】
本実施例において給電ハブ２は、自身が給電側通信装置１から受電して動作可能であり、電源としてはＬＡＮポート（Ｕｐ）２０１を介して受電する受電部２０６からの電力と、商用電源受電部２０８からの電力の２系統がある。電源回路２０７は、これら２系統の電力のいずれかの電力から必要な電圧を生成して給電ハブ２内の各部に給電すると共に、給電部２１２、ＬＡＮポート（Ｄｏｗｎ）２１３を介して、受電側通信装置３に、例えばＩＥＥＥ８０２．３ａｆの規格に準拠した給電をする。
【００１５】
照明コマンド受信部２０３は、給電側通信装置１または受電側通信装置３から照明２０２を点灯する点灯コマンドまたは消灯する消灯コマンドを受信する手段であって、前記給電側通信装置１または受電側通信装置３から点灯コマンドまたは消灯コマンドを受信した場合または点灯スイッチ２０９が押下された場合に、照明２０２を点灯または消灯させる。
【００１６】
スイッチ２０５は、ＬＡＮポート（Ｕｐ）２０１、ＬＡＮポート（Ｄｏｗｎ）２１３間の音声情報または画像情報やデータ通信等のパケット転送処理を行う手段であり、このような一般的なパケット転送に係わる処理は、通常のハブ機能と同じである。
【００１７】
図３は、本発明を適用した給電ハブシステムの給電側通信装置１の内部ブロック図の例である。給電側通信装置１は、優先送信先登録部１０１、主制御部１０２、照明コマンド送信部１０３、データ送受信部１０４、停電時電力供給部１０５、電源回路１０６、商用電源受電部１０７、スイッチ１０８、ＬＡＮ回線対応部１１Ａ、１１Ｂから構成される。ＬＡＮ回線対応部１１Ａ、１１Ｂは、データ送受信部１１１、給電部１１２、ＬＡＮポート（Ｄｏｗｎ）１１３から構成される。ここで、本実施例は簡単化のために、ＬＡＮ回線対応部１１Ａ、１１Ｂを２ポートとして説明しているが、その限りではない。
【００１８】
主制御部１０３は、給電側通信装置１の通信制御や給電制御に係わる処理全般の制御を実行する手段である。
【００１９】
本実施例において給電側通信装置１は、電源としては商用電源受電部１０７からの電力と、停電時電力供給部１０５に充電された電力の２系統がある。電源回路１０６は、これら２系統の電力のいずれかの電力から必要な電圧を生成して給電側通信装置１内の各部に給電すると共に、給電部１１２、ＬＡＮポート（Ｄｏｗｎ）１１３を介して、給電ハブ２に、例えばＩＥＥＥ８０２．３ａｆの規格に準拠した給電をする。
【００２０】
停電時電力供給部１０５はバックアップ電源であって、給電側通信装置１が商用電源からの電力で稼働している間に、商用電源受電部１０７、電源回路１０６を介して充電を行い、前記商用電源が停電した場合には電源回路１０６に対して給電を行う。
【００２１】
本実施例では、停電用のバックアップ電源を給電側通信装置１内部に具備する構成としているが、外部バックアップ電源から給電可能としても良い。
【００２２】
スイッチ１０８は、主制御部１０２、ＬＡＮポート（Ｄｏｗｎ）１１３間の音声情報または画像情報やデータ通信等のデータの転送処理を行う手段であり、このような一般的なデータ転送に係わる処理は、通常の電話システムやメールシステムやハブ機能と同じである。
【００２３】
優先送信先登録部１０１は、点灯コマンドを優先的に送信すべき１以上の給電ハブを登録しておく手段である。なお、優先送信先登録部１０１への登録は、登録用の端末（ＰＣ等）から行うようにしても良いし（図示せず）、受電側通信装置３からの操作で登録できるようにしても良い。
【００２４】
主制御部１０２は、停電時電力供給部１０５の給電状態を監視しており、前記停電時電力供給部１０５が給電状態になった場合、すなわち停電が発生した場合、前記停電時電力供給部１０５が供給可能な残電力量を確認し、給電ハブ２Ａ、２Ｂの照明２０２を点灯するための電力が不足していないかを判断する。給電ハブ２Ａ、２Ｂの照明２０２を点灯するための電力が不足している場合は、優先送信先登録部１０１を参照し、照明２０２を必ず点灯させる必要がある優先度の高い給電ハブを抽出する。
【００２５】
その後、照明コマンド送信部１０３に対して、給電ハブ２の照明２０２を点灯させる点灯コマンドの送信指示を行う。
【００２６】
次に、主制御部１０２は、停電時電力供給部１０５が無給電状態になった場合、すなわち停電から復旧した場合、照明コマンド送信部１０３に対して、給電ハブ２の照明２０２を消灯させる消灯コマンドの送信指示を行う。
【００２７】
照明コマンド送信部１０３は、主制御部１０２の指示により、給電ハブ２の照明２０２を点灯させる点灯コマンドまたは消灯させる消灯コマンドを、データ送受信部１０４、スイッチ１０８、データ送受信部１１１、ＬＡＮポート１１３を介して給電ハブ２へ送信する手段である。
【００２８】
図４は、本発明を適用した給電ハブシステムの受電側通信装置３の内部ブロック図の例である。受電側通信装置３は、ＬＡＮポート３０１、データ送受信部３０２、照明コマンド送信部３０３、主制御部３０４、操作部３０５、受電部３０６、電源回路３０７、商用電源受電部３０８から構成される。
【００２９】
受電側通信装置３は、給電ハブ２から受電して動作可能であり、電源としてはＬＡＮポート３０１を介して受電する受電部３０６ からの電力と、商用電源受電部３０８からの電力の２系統がある。電源回路３０７は、これら２系統の電力のいずれかの電力から必要な電圧を生成して受電側通信装置３内の各部に給電する。
【００３０】
主制御部３０４は、データ送受信部３０２、ＬＡＮポート３０１、給電ハブ２を介して給電側通信装置１と音声情報または画像情報やデータ通信等のデータの転送処理を行うと共に、操作部３０５から、給電ハブ２の照明２０２を点灯させる点灯コマンドまたは消灯させる消灯コマンドの入力があった場合に、照明コマンド送信部３０３に対して、点灯コマンドまたは消灯コマンドの送信指示を行う。
【００３１】
尚、本実施例における受電側通信装置３は、ＬＡＮポート３０１を介して受電した電力で動作可能な装置であるが、給電ハブ２の照明２０２を点灯させる点灯コマンドまたは消灯させる消灯コマンドを送信する機能は、受電機能を具備しない通信装置にも適用可能なことは言うまでも無い。
【００３２】
図５は、給電側通信装置１の優先送信先登録部１０１に登録されたデータの例である。優先送信先登録部１０１は、点灯コマンドを優先的に送信すべき１以上の給電ハブを登録しておく手段である。
【００３３】
尚、優先送信先登録部１０１への登録は、登録用の端末（ＰＣ等）から行うようにしても良いし（図示せず）、受電側通信装置３からの操作で登録できるようにしても良い。
【００３４】
給電側通信装置１の各ＬＡＮポート１１３(列５０１)に接続されている給電ハブ（列５０２）に対して、点灯コマンドの優先送信先（列５０３）が登録されている。
【００３５】
行５１１は、給電側通信装置１のＬＡＮポート１（列５０１）に給電ハブ２Ａ（列５０２）が接続されており、優先送信先（列５０３）には優先と登録されていることを示している。すなわち、給電ハブ２Ａは停電時の避難ルートの近傍等に設置されており、停電時に自給電ハブ周辺を照らす照明手段を必ず点灯させる必要がある事を示している。
【００３６】
図６は、本発明による給電ハブシステムの給電ハブ２の動作フローチャートである。Ｓ６００において、本フローは電源が投入された状態でスタートする。以下、図１〜５を併用して本フローを説明する。
【００３７】
尚、一般的な音声情報または画像情報やデータ通信等のパケット転送処理は、通常のハブ機能と同じであるので、その詳細は割愛する。
【００３８】
照明コマンド受信部２０３は、給電側通信装置１または受電側通信装置３から点灯コマンドを受信した場合または点灯スイッチ２０９がＯＮされた場合（Ｓ６０１、ＹＥＳ）に、照明２０２を点灯させる（Ｓ６０２）。Ｓ６０１、ＮＯの場合はＳ６０１に戻る。
【００３９】
Ｓ６０３で照明コマンド受信部２０３は、給電側通信装置１または受電側通信装置３から消灯コマンドを受信した場合または点灯スイッチ２０９がＯＦＦされた場合（Ｓ６０３、ＹＥＳ）に、照明２０２を消灯（Ｓ６０４）し、Ｓ６０１に戻る。Ｓ６０３、ＮＯの場合はＳ６０３に戻る。
【００４０】
図７は、本発明による給電ハブシステムの給電側通信装置１の動作フローチャートである。Ｓ７００において、本フローは電源が投入された状態でスタートする。以下、図１〜５を併用して本フローを説明する。
【００４１】
尚、一般的な音声情報または画像情報やデータ通信等に係わる処理は、通常の通信装置と同じであるので、その詳細は割愛する。
【００４２】
主制御部１０２は、停電時電力供給部１０５の状態から停電中か否かを判断し、停電中の場合（Ｓ７０１、ＹＥＳ）はＳ７０２へ、通常稼働中の場合（Ｓ７０１、ＮＯ）はＳ７１１に進む。
【００４３】
Ｓ７１１で主制御部１０２は、登録用の端末（ＰＣ等）または受電側通信装置３の操作部３０５から優先送信先登録部１０１への登録が有るか否かを確認し、登録無しの場合（Ｓ７１１、ＮＯ）はＳ７０１戻り、登録有りの場合（Ｓ７１１、ＹＥＳ）は、優先送信先登録部１０１の登録データを更新（Ｓ７１２）後、Ｓ７０１に戻る。
【００４４】
Ｓ７０２で主制御部１０２は、停電時電力供給部１０５が供給可能な残電力量を確認し、給電ハブ２Ａ、２Ｂの照明２０２を点灯させるための電力が不足していないかを判断する（Ｓ７０２）。給電ハブ２Ａ、２Ｂの照明２０２を点灯させるための電力が不足している場合（Ｓ７０２、ＹＥＳ）は、優先送信先登録部１０１を参照し、優先送信先（列５０３）に優先と登録されている給電ハブ（例えば、給電ハブ２Ａ）を抽出（Ｓ７０３）し、Ｓ７０４に進む。Ｓ７０２、ＮＯの場合もＳ７０４に進む。
【００４５】
Ｓ７０４で主制御部１０２は、照明コマンド送信部１０３に対して、前記給電ハブ２に点灯コマンドを送信する指示を行い、照明コマンド送信部１０３は、前記給電ハブ２に対して、データ送受信部１０４、スイッチ１０８、データ送受信部１１１，ＬＡＮポート１１３を介して、点灯コマンドを送信する。
【００４６】
次にＳ７０５で主制御部１０２は、停電時電力供給部１０５の状態を確認し、停電から復旧したか否かを判断する。
【００４７】
停電から復旧した場合（Ｓ７０５、ＹＥＳ）、主制御部１０２は、照明コマンド送信部１０３に対して、照明２０２を点灯中の給電ハブ２に消灯コマンドを送信する指示を行い、照明コマンド送信部１０３は、給電ハブ２に対して、データ送受信部１０４、スイッチ１０８、データ送受信部１１１，ＬＡＮポート１１３を介して、消灯コマンドを送信（Ｓ７０６）後、Ｓ７０１に戻る。
【００４８】
停電が継続している場合（Ｓ７０５、ＮＯ）、主制御部１０２は、停電時電力供給部１０５が供給可能な残電力量を確認し、各給電ハブ２の照明２０２の点灯が継続可能であるかを判断し、継続不可の場合（Ｓ７２１、ＹＥＳ）は、優先送信先登録部１０１を参照し、優先送信先（列５０３）に優先と登録されていない給電ハブ２（例えば、給電ハブ２Ｂ）を抽出（Ｓ７２２）し、Ｓ７２３に進む。
【００４９】
Ｓ７２３で主制御部１０２は、照明コマンド送信部１０３に対して、前記抽出した給電ハブ２に消灯コマンドを送信する指示を行い、照明コマンド送信部１０３は、前記抽出した給電ハブ２に対して、データ送受信部１０４、スイッチ１０８、データ送受信部１１１，ＬＡＮポート１１３を介して、消灯コマンドを送信後、Ｓ７０５に戻る。Ｓ７２１、ＮＯの場合もＳ７０５に戻る。
【００５０】
尚、本実施例における給電ハブシステムは一例であって、本発明はこれに限定されない。例えば、本実施例では、残電力量が低下した場合に、優先と登録されていない給電ハブ２の照明２０２を消灯することで、優先と登録されている給電ハブ２の照明２０２の点灯が継続できるようにしているが、残電力量が低下した場合に、受電側通信装置３への電力供給を優先するか照明２０２の点灯を優先するかの設定を設ければ、より長く照明２０２の点灯を継続することも可能である。
【００５１】
また、給電ハブ２に外部照明装置を接続可能なポートを具備し、非常灯等の照明装置を接続可能とすれば、各誘導灯にバックアップ電源を具備することなく、外部通信機器から遠隔操作が可能な照明装置が実現できる。
【００５２】
以上説明した通り、本発明によれば、停電等により商用電源から電力が給電されない場合に、既存通信装置のバックアップ電源を利用して、給電ハブが具備した照明手段を点灯することが可能な給電ハブシステムが提供可能になるため、バックアップ電源の電力残量に応じて、優先度の高い給電ハブが具備した照明手段のみを点灯させる等の柔軟な制御が実現できる。
【符号の説明】
【００５３】
１・・・給電側通信装置
２Ａ・・・給電ハブ
２Ｂ・・・給電ハブ
３Ａ・・・受電側通信装置
３Ｂ・・・受電側通信装置
３Ｃ・・・受電側通信装置
３Ｄ・・・受電側通信装置
１０１・・・優先送信先登録部
１０２・・・主制御部
１０３・・・照明コマンド送信部
１０４・・・データ送受信部
１０５・・・停電時電力供給部
１０６・・・電源回路
１０７・・・商用電源受電部
１０８・・・スイッチ
１１Ａ・・・ＬＡＮ回線対応部
１１Ｂ・・・ＬＡＮ回線対応部
１１１・・・データ送受信部
１１２・・・給電部
１１３・・・ＬＡＮポート
２０１・・・ＬＡＮポート（Ｕｐ）
２０２・・・照明
２０３・・・照明コマンド受信部
２０４・・・データ送受信部
２０５・・・スイッチ
２０６・・・受電部
２０７・・・電源回路
２０８・・・商用電源受電部
２０９・・・点灯スイッチ
２１Ａ・・・ＬＡＮ回線対応部
２１Ｂ・・・ＬＡＮ回線対応部
２１１・・・データ送受信部
２１２・・・給電部
２１３・・・ＬＡＮポート（Ｄｏｗｎ）
３０１・・・ＬＡＮポート
３０２・・・データ送受信部
３０３・・・照明コマンド送信部
３０４・・・主制御部
３０５・・・操作部
３０６・・・受電部
３０７・・・電源回路
３０８・・・商用電源受電部
【図１】
2015173362.tif 000003
【図２】
2015173362.tif 000004
【図３】
2015173362.tif 000005
【図４】
2015173362.tif 000006
【図５】
2015173362.tif 000007
【図６】
2015173362.tif 000008
【図７】
2015173362.tif 000009